(57)【要約】      （修正有）【課題】自動ＲＦＩＤ印刷及び統合のためのシステム及び方法を提供する。【解決手段】システム３００は、クライアントシステム３１０〜３２０／サーバーシステム３０４からサーバーシステムと結合して用いられる自動デジタルＲＦＩＤ印刷機３０５を含む。また、システムは実行されるとき、自動ＲＦＩＤ印刷及び統合のための方法を実行する命令を保存した非一時的コンピュータ記憶媒体だけでなく、自動ＲＦＩＤ印刷及び統合のための対応する方法を含む。【選択図】図３
2019145144.tif 000002
【特許請求の範囲】
【請求項１】
プロセッサシステム、通信インターフェース、通信システム、入力システム及び出力システムを有し、通信網への接近を有するサーバーシステムと、
運営体制、通信モジュール、ウェブブラウザモジュール、ウェブサーバーアプリケーション及び自動ＲＦＩＤ印刷及び統合非一時的記憶媒体を有するメモリシステムと、
前記サーバーシステムと結合して用いられる自動デジタルＲＦＩＤ印刷機と、
を含む、自動ＲＦＩＤ印刷及び統合のためのシステム。
【請求項２】
クライアントシステムをさらに含む、請求項１に記載の自動ＲＦＩＤ印刷及び統合のためのシステム。
【請求項３】
前記クライアントシステムは、出力システム、入力システム、メモリシステム、プロセッサシステム及び通信システムを含む、請求項２に記載の自動ＲＦＩＤ印刷及び統合のためのシステム。
【請求項４】
前記クライアントシステムは、携帯用無線装置である、請求項３に記載の自動ＲＦＩＤ印刷及び統合のためのシステム。
【請求項５】
前記クライアントシステムは、運営体制を有する移動電話である、請求項４に記載の自動ＲＦＩＤ印刷及び統合のためのシステム。
【請求項６】
前記クライアントシステムは、個人用コンピュータである、請求項３に記載の自動ＲＦＩＤ印刷及び統合のためのシステム。
【請求項７】
前記クライアントシステムは、前記通信網を介して前記サーバーシステムに接続する、請求項３に記載の自動ＲＦＩＤ印刷及び統合のためのシステム。
【請求項８】
前記通信網はインターネット又は広帯域通信網である、請求項１に記載の自動ＲＦＩＤ印刷及び統合のためのシステム。
【請求項９】
前記通信網は、運営体制ネットワークを有する移動電話である、請求項１に記載の自動ＲＦＩＤ印刷及び統合のためのシステム。
【請求項１０】
前記自動ＲＦＩＤ印刷及び統合非一時的記憶媒体は、ビジネス及び技術ユーザのためにデザインされ、マーケティング、グラフィックアート、ビジネス、作動及びＩＴ専門家によって用いられる、請求項１に記載の自動ＲＦＩＤ印刷及び統合のためのシステム。
【請求項１１】
前記自動ＲＦＩＤ印刷及び統合非一時的記憶媒体は、統合開発環境を提供する、請求項１０に記載の自動ＲＦＩＤ印刷及び統合のためのシステム。
【請求項１２】
前記自動ＲＦＩＤ印刷及び統合非一時的記憶媒体は、直観的なグラフィックユーザインターフェースである、請求項１１に記載の自動ＲＦＩＤ印刷及び統合のためのシステム。
【請求項１３】
前記自動ＲＦＩＤ印刷及び統合非一時的記憶媒体は、デジタル資産及び複数の製品アプリケーションの提示、バージョニング、制御及び分配用統合ハブである、請求項１に記載の自動ＲＦＩＤ印刷及び統合のためのシステム。
【請求項１４】
前記自動ＲＦＩＤ印刷及び統合非一時的記憶媒体は、文書修正及びアップデートの正確且つ接近可能な記録を維持し、作業流れ及び製品無欠性をより効率的に管理する、請求項
１３に記載の自動ＲＦＩＤ印刷及び統合のためのシステム。
【請求項１５】
前記自動ＲＦＩＤ印刷及び統合非一時的記憶媒体は、実行時間出力エンジンである、請求項１に記載の自動ＲＦＩＤ印刷及び統合のためのシステム。
【請求項１６】
前記自動ＲＦＩＤ印刷及び統合非一時的記憶媒体は、複数のＧＭＣ．ＷＦＤアプリケーションを解釈し、複数のフォーマットの出力を複数のチャネルに発生させる実行時間出力エンジンである、請求項１５に記載の自動ＲＦＩＤ印刷及び統合のためのシステム。
【請求項１７】
前記自動ＲＦＩＤ印刷及び統合非一時的記憶媒体は、中央集中型、全社的な組成工程自動化のための柔軟であり且つ設定可能な非一時的記憶媒体ソリューションである、請求項１に記載の自動ＲＦＩＤ印刷及び統合のためのシステム。
【請求項１８】
前記自動ＲＦＩＤ印刷及び統合非一時的記憶媒体は、アプリケーションデータストリームを処理し、一つ以上の適当な出力にルーティングする、請求項１７に記載の自動ＲＦＩＤ印刷及び統合のためのシステム。
【請求項１９】
複数のＲＦＩＤタグを提供する、請求項１に記載の自動ＲＦＩＤ印刷及び統合のためのシステム。
【請求項２０】
短縮したデジタル生産時間をもたらす、請求項１に記載の自動ＲＦＩＤ印刷及び統合のためのシステム。
【請求項２１】
前記短縮したデジタル生産時間は、根源決定の柔軟性を可能にする、請求項２０に記載の自動ＲＦＩＤ印刷及び統合のためのシステム。
【請求項２２】
一連番号を有する高いボリューム印刷をもたらす、請求項１に記載の自動ＲＦＩＤ印刷及び統合のためのシステム。
【請求項２３】
一貫した品質及び向上したデータ正確度でより速い印刷をもたらす、請求項１に記載の自動ＲＦＩＤ印刷及び統合のためのシステム。
【請求項２４】
命令キャプチャーシステムから作業命令を送信するステップと、
エンタープライズサービスバスを用いるステップと、
メインレベル作業を生成するステップと、
作業命令ファイルを分割し、各命令ラインのための拡張可能マークアップ言語ＸＭＬファイルを生成するステップと、
ワークファイル定義レベル作業を生成するステップと、
ワンアップＴＮＯファイルを生成するステップと、
同一のワークファイル定義で一つ以上の在庫維持ユニットライン及び命令ライン全般を進行及び反復するステップと、
ローカルファイルＰＤＦサーバーに複数のファイルを送信するステップと、
エンコーダファイルサーバーに前記ファイルを送信するステップと、
伝達するように要求される全てのＳＫＵが利用可能かをエンコーダが確認するステップと、
作業状態をアップデートするステップと、
を含む、自動ＲＦＩＤ印刷及び統合のための方法。
【請求項２５】
複数のＲＦＩＤタグを提供する、請求項２４に記載の自動ＲＦＩＤ印刷及び統合のための方法。
【請求項２６】
短縮したデジタル生産時間をもたらす、請求項２４に記載の自動ＲＦＩＤ印刷及び統合のための方法。
【請求項２７】
前記短縮したデジタル生産時間は、根源決定の柔軟性を可能にする、請求項２６に記載の自動ＲＦＩＤ印刷及び統合のための方法。
【請求項２８】
一連番号を有する高いボリューム印刷をもたらす、請求項２４に記載の自動ＲＦＩＤ印刷及び統合のための方法。
【請求項２９】
一貫した品質及び向上したデータ正確度でより速い印刷をもたらす、請求項２４に記載の自動ＲＦＩＤ印刷及び統合のための方法。
【請求項３０】
命令を保存している非一時的コンピュータ記憶媒体であって、前記命令は実行されるとき、
命令キャプチャーシステムから作業命令を送信するステップと、
エンタープライズサービスバスを用いるステップと、
メインレベル作業を生成するステップと、
作業命令ファイルを分割し、各命令ラインのための拡張可能マークアップ言語ＸＭＬファイルを生成するステップと、
ワークファイル定義レベル作業を生成するステップと、
ワンアップＴＮＯファイルを生成するステップと、
同一のワークファイル定義で一つ以上の在庫維持ユニットライン及び命令ライン全般を進行及び反復するステップと、
ローカルファイルＰＤＦサーバーに複数のファイルを送信するステップと、
エンコーダファイルサーバーに前記ファイルを送信するステップと、
伝達するように要求される全てのＳＫＵが利用可能かをエンコーダが確認するステップと、
作業状態をアップデートするステップと、を含む方法を実行する、非一時的コンピュータ記憶媒体。
【請求項３１】
複数のＲＦＩＤタグを提供する、請求項３０に記載の非一時的コンピュータ記憶媒体。
【請求項３２】
短縮したデジタル生産時間をもたらす、請求項３０に記載の非一時的コンピュータ記憶媒体。
【請求項３３】
前記短縮したデジタル生産時間は、根源決定の柔軟性を可能にする、請求項３１に記載の非一時的コンピュータ記憶媒体。
【請求項３４】
前記短縮したデジタル生産時間は、根源決定の柔軟性を可能にし、一連番号を有する高いボリューム印刷をもたらす、請求項３３に記載の非一時的コンピュータ記憶媒体。
【請求項３５】
一貫した品質及び向上したデータ正確度でより速い印刷をもたらす、請求項３０に記載の非一時的コンピュータ記憶媒体。
【発明の詳細な説明】
【技術分野】
【０００１】
関連出願の相互参照
本出願は２０１４年２月１３日に出願された米国仮出願番号６１／９３９，３７９に対する優先権を主張し、米国仮出願は本願に全体的に参照として含まれる。
【背景技術】
【０００２】
現在、ＲＦＩＤ印刷は熱生産に制限される。デジタル印刷は、より多くの材料、カラー及び形状を可能にすることができ、ベースロールインベントリに関連するコストを減らすことができる。現在、デジタル無線周波数識別又はデジタルＲＦＩＤファイルの既存処理にとって方法又はシステムは存在していない。ソリューションを伝達するためのオプションは、ワークフロー自動化のためのインスパイアデザイナソフトウェア（Ｉｎｓｐｉｒｅ
Ｄｅｓｉｇｎｅｒ  ｓｏｆｔｗａｒｅ）を用いたコンセプトの初期プルーフに基づく。ソリューションは、グローバル印刷管理又はＧＰＭプロジェクト、又はさらに詳しくはグローバル印刷管理粒子群最適化又はＧＰＭ  ＰＳＯワークフローモジュールのための仕事量を活用することができる。
【発明の概要】
【課題を解決するための手段】
【０００３】
一つの例示的な実施例において、補助システムによる自動ＲＦＩＤ印刷及び統合のためのシステム及び方法が提供される。方法及びシステムは、グローバル印刷管理又はＧＰＭ及びＲＦＩＤに関連する機能要件を含むことができる。方法及びシステムは、可能な場合、ＧＰＭプロジェクトのために準備する既存ワークの再使用を推定する。さらに、システム及び方法は、補助システムが生産ワークフローを支援しながら、デジタルＲＦＩＤ印刷及び要求された統合のための携帯用文書フォーマット又はＰＤＦファイルの自動化を可能にする。
【０００４】
本発明の実施例の利点は、それの例示的な実施例の以下の詳細な説明から明確になるはずであり、その説明は、類似の番号が類似の要素を指す添付の図面と共に考慮されるべきである。
【図面の簡単な説明】
【０００５】
【図１】補助システムベネフィットによる自動ＲＦＩＤ印刷及び統合のためのシステム及び方法を図示する例示図である。
【図２】補助システム具現ベネフィットによる自動ＲＦＩＤ印刷及び統合のためのシステム及び方法を図示する例示図である。
【図３】自動ＲＦＩＤ印刷及び統合のためのシステムを図示する例示図である。
【図４】クライアントシステムのブロック図を図示する例示図である。
【図５】サーバーシステムのブロック図を図示する例示図である。
【図６】補助システムによる自動ＲＦＩＤ印刷及び統合のための方法を図示する例示図である。
【発明を実施するための形態】
【０００６】
本発明の態様は、本発明の具体的な実施例に関する以下の説明及び関連図面に開示される。当業者は、代替実施例が請求項の思想又は範囲から逸脱しないで考案可能であることを認識するはずである。さらに、本発明の例示的な実施例における周知の要素は、本発明の関連細部事項を曖昧にさせないように、詳細に記載されないか又は省略されるべきである。
【０００７】
本願に使われるように、単語「例示的」は、「例、事例又は図解の役割を担うこと」を意味する。本願に記載される実施例は制限的なものでなく、むしろ単に例示的である。記載された実施例が別の実施例に比べて好ましい又は有利なものとして必ずしも解釈されないという点を理解すべきである。また、用語「本発明の実施例」、「実施例」又は「発明」は、本発明のあらゆる実施例が議論された特徴、利点、又は作動モードを含むことを要求しない。
【０００８】
また、本願に記載される多くの実施例は、例えば、コンピューティング装置の要素によって実行される動作の順序に関して記述する。本願に記載される動作の様々な順序は、具体的回路（例えば、特定用途向け集積回路（ＡＳＩＣ））によって及び／又は少なくとも一つのプロセッサによって行われるプログラム命令に応じて実行され得ることが当業者にとって認識されるべきである。さらに、本願に記載される動作の順序は、動作の順序の実行によってプロセッサが本願に記載の機能を実行可能にするように、任意の形態のコンピュータ読み取り可能記憶媒体内で完全に具現されてもよい。したがって、本発明の様々な態様は、多数の異なった形態として具現されてもよく、それらはいずれも、請求された対象の範囲内にあるものとして見なされる。また、本願に記載されるそれぞれの実施例に対して、任意のかかる実施例の対応する形態は、例えば、記載された動作を実行するように「構成されたコンピュータ」として本願に記載されてもよい。
【０００９】
また、本願に使われるように、フレーム又は写真が複数のスライス及び／又は異なった形態のスライスとコーディングされ得る状況でも、スライス、写真及びフレームのような用語を同じ意味で使うことができる。さらに、用語「写真」は、フレーム又はフィールドを規定し得る一般用語として解釈することができる。
【００１０】
装備は、一つ以上のデジタルオフセット印刷機、エンコーダ及びＨｅｗｌｅｔｔ  Ｐａｃｋａｒｄ又はＨＰ親環境製品設計（Ｄｅｓｉｇｎｅｄ  ｆｏｒ  Ｅｎｖｉｒｏｎｍｅｎｔ（ＤＦＥ））であってもよい。デジタルオフセット印刷機は当該技術の分野において周知であるが、一般に、クライアントサーバーシステムと結合して用いられる一つ又はデジタルオフセット印刷機である任意のデジタルオフセット印刷機であってもよい。エンコーダは、標準化、スピード、機密、保安又は圧縮の目的で、一つのフォーマット又はコードから別のものに情報を変換する装置、回路、変換器、非一時的記憶媒体プログラム、アルゴリズム又は人であってもよい。用語「資産」は、アートワーク（ａｒｔｗｏｒｋ）などを意味することができる。
【００１１】
図１は、補助システムベネフィットによる自動ＲＦＩＤ印刷及び統合のためのシステム及び方法を図示する例示図である。システム及び方法ベネフィット１００は、プロアクティブプロジェクト可視性１１０、統合アートワーク及びスペックリポジトリ（ｓｐｅｃ  ｒｅｐｏｓｉｔｏｒｙ）１２０、一つ以上のウェブベース顧客ライブラリー１３０及びオンライン顧客コラボレーション１４０を含むことができる。
【００１２】
図２は、補助システム具現ベネフィットによる自動ＲＦＩＤ印刷及び統合のためのシステム及び方法を図示する例示図である。システム及び方法具現ベネフィット２００は、アートワーク管理２１０、アートワークデザイン及び開発２２０及び生産実行２３０を含むことができる。アートワーク管理２１０は、資産リポジトリ２１２を含むことができる。資産リポジトリ２１２は、資産管理、ポートフォリオ及びプロジェクト管理を実行し、グラフィックパネル、可変パネル及び一つ以上のビジネスルールを含み、アートワークへの参加者接近及びアートワークへの顧客接近を有することができる。アートワークデザイン及び開発２２０は、資産リポジトリ２２２、オンラインコラボレーション２２４及びアートワークアセンブリー２２６を含むことができる。資産リポジトリ２２２は、一つ以上の
オンライン要請及びアートワーク提出、一つ以上の自動ワークフロー及び通知、オンラインプロジェクト管理、プロジェクト可視性、単一資産リポジトリ、生産展開及び一つ以上のオンラインプレビューを含むことができる。オンラインコラボレーション２２４は、三次元視覚化、一つ以上の代案ソリューション、カラー制御、印刷プロファイル管理及び自動プリフライト（ｐｒｅｆｌｉｇｈｔ）を含むことができる。アートワークアセンブリー２２６は、可変セットアップ、ＦＭＡ統合、一つ以上の構造アイテム仕様、既存のアートワークの再使用及び自動中央集中型事前印刷を含むことができる。生産実行２３０は印刷生産２３２を含むことができる。印刷生産２３２は、デジタル紙印刷、自動印刷キュー選択、自動作業スケジューリング、ワンアップ生成（ｏｎｅ−ｕｐ  ｃｒｅａｔｉｏｎ）、自動賦課、カラー管理、手動印刷キュー変化及びカラー制御を含むことができる。
【００１３】
図３は、自動ＲＦＩＤ印刷及び統合のためのシステム３００を図示する例示図である。システム３００は、サーバーシステム３０４、入力システム３０６、出力システム３０８、複数のクライアントシステム３１０，３１４，３１６，３１８，３２０、通信網３１２及び携帯用装置３２２を含む。他の実施例で、システム３００は、追加の部品を含んでもよく、及び／又は上に羅列された全ての部品を含まなくてもよい。
【００１４】
サーバーシステム３０４は一つ以上のサーバーを含むことができる。一つのサーバー３０４は、任意の関連した非一時的記憶媒体の分配機の特性であってもよい。他の実施例で、システム３００は追加の部品を含んでもよく、及び／又は上に羅列された全ての部品を含まなくてもよい。サーバーシステム３０４は、自動デジタルＲＦＩＤ印刷機３０５と結合して用いることができる。
【００１５】
サーバーシステム３０４に入力するために入力システム３０６を用いることができ、入力システム３０６としては、例えば、キーボードシステム、マウスシステム、トラックボールシステム、トラックパッドシステム、携帯用装置上の複数のボタン、スキャナーシステム、無線受信機、マイクロホンシステム、サウンドシステムへの連結、及び／又はコンピュータシステムへの連結及び／又はインターフェースシステム、イントラネット、及び／又はインターネット（例えば、ＩｒＤＡ、ＵＳＢ）のうちの任意の一つ、一部、任意の組み合わせ、又は全てを含むことができる。
【００１６】
サーバーシステム３０４から出力を受信するために出力システム３０８を用いることができ、出力システム３０８としては、例えば、モニターシステム、無線送信機、携帯用ディスプレイシステム、印刷機システム、スピーカーシステム、サウンドシステムへの連結又はインターフェースシステム、一つ以上の周辺装置へのインターフェースシステム及び／又はコンピュータシステムへの連結及び／又はインターフェースシステム、イントラネット、及び／又はインターネットのうちの任意の一つ、一部、任意の組み合わせ、又は全てを含むことができる。
【００１７】
システム３００は、情報提供ウェブサイト（図示せず）であってもよいサーバーシステム３０４に連結される方式の一部の変化を図示する。サーバーシステム３０４は、クライアントシステム３１０，３１４，３１６，３１８，３２０に直接連結され、及び／又は無線で連結されてもよく、通信網３１２を介して連結される。通信網３１２は、一つ以上の近距離通信網又はＬＡＮ、広帯域通信網又はＷＡＮ、無線ネットワーク、電話通信網、インターネット及び／又は他のネットワークのうちの任意の一つ、又は任意の組み合わせであってもよい。通信網３１２は一つ以上の無線ポータルを含むことができる。クライアントシステム３１０，３１４，３１６，３１８，３２０は、最終ユーザがサーバーシステム３０４に接近するために用い得る任意のシステムであってもよい。例えば、クライアントシステム３１０，３１４，３１６，３１８，３２０は、個人用コンピュータ、ワークステーション、ラップトップコンピュータ、ゲームコンソール、携帯用ネットワーク可能オー
ディオ／ビデオプレーヤー及び／又は任意の他のネットワーク機器であってもよい。
【００１８】
クライアントシステム３２０は通信網３１２及び他のシステムの結合によってサーバーシステム３０４に接続することができる。また、クライアントシステム３２０は、ネットワークコンテンツに接続するために用い得る運営体制又はＳＭＡＲＰＨＯＮＥ（登録商標）又は携帯用ネットワーク可能オーディオ／ミュージックプレーヤーを有する移動電話のような携帯用無線装置３２２の一例である。
【００１９】
図４は、クライアントシステム４００の例示的なブロック図を図示する。クライアントシステム４００は出力システム４０２、入力システム４０４、メモリシステム４０６、プロセッサシステム４０８、通信システム４１２、入力／出力システム４１４、ウェブサイト４１６、無線ポータル４１８及び自動デジタルＲＦＩＤ印刷機４１５を含むことができる。クライアントシステム４００の他の実施例は、全ての部品を有しなくてもよく、及び／又は上に羅列された部品に加えて又は上に羅列された部品に代えて他の実施例を有してもよい。
【００２０】
クライアントシステム４００は、図３のネットワーク装置の一つとして用い得るクライアントシステム４１０，４１４，４１６，４１８，４２０、及び／又は携帯用無線装置１２２のうちの任意の一つであってもよい。他の実施例で、クライアントシステム４００は、追加の部品を含んでもよく、及び／又は上に羅列された全ての部品を含まなくてもよい。出力システム４０２は、例えば、モニターシステム、無線送信機、携帯用ディスプレイシステム、印刷機システム、スピーカーシステム、サウンドシステムへの連結又はインターフェースシステム、周辺装置へのインターフェースシステム及び／又はコンピュータシステムへの連結及び／又はインターフェースシステム、イントラネット、及び／又はインターネットのうちの任意の一つ、一部、任意の組み合わせ、又は全てを含むことができる。
【００２１】
入力システム４０４は、例えば、キーボードシステム、マウスシステム、トラックボールシステム、トラックパッドシステム、携帯用システム上の一つ以上のボタン、スキャナーシステム、無線受信機、マイクロホンシステム、サウンドシステムへの連結、及び／又はコンピュータシステムへの連結及び／又はインターフェースシステム、イントラネット、及び／又はインターネット（例えば、赤外線通信規格又はＩｒＤＡ、汎用直列バス又はＵＳＢ）のうちの任意の一つ、一部、任意の組み合わせ、又は全てを含むことができる。メモリシステム４０６は、例えば、ハードドライブのような長期記憶システム、ランダムアクセスメモリのような短期記憶システム；フロッピードライブ又は取り外し可能ドライブのような取り外し可能記憶システム、及び／又はフラッシュメモリのうちの任意の一つ、一部、任意の組み合わせ、又は全てを含むことができる。メモリシステム４０６は、様々な異なった形態の情報が保存できる一つ以上の機械読み取り可能媒体を含むことができる。用語「機械読み取り可能媒体」は、機械によって読み取り可能なフォーマットで情報を搬送するように構造的に構成され得る任意の媒体を言及するために使うことができる。機械読み取り可能媒体の一例は、コンピュータ読み取り可能媒体であってもよい。また、メモリシステム４０６は自動ＲＦＩＤ印刷及び統合のためのアプリケーションを格納することができる。
【００２２】
プロセッサシステム４０８は、複数の並列プロセッサ、単一プロセッサ、一つ以上の中央プロセッサを有するプロセッサのシステム及び／又は具体的な作業専用の一つ以上の専門化されたプロセッサのうちの任意の一つ、一部、任意の組み合わせ、又は全てを含むことができる。プロセッサシステム４０８はメモリシステム４０６に格納されるプログラムを具現する。通信システム４１２は、出力システム４０２、入力システム４０４、メモリシステム４０６、プロセッサシステム４０８、及び／又は入力／出力システム４１４を互
いに通信連結する。通信システム４１２は、一つ以上の電気ケーブル、光ファイバケーブル及び／又は空気又は水を通じて信号を送信する手段（例えば、無線通信）などのうちの任意の一つ、一部、任意の組み合わせ、又は全てを含むことができる。空気及び／又は水を通じて信号を送信する手段の一部の例は、赤外線及び／又は電波のような電磁波を送信するシステム及び／又は音波を送信するシステムを含む。
【００２３】
入力／出力システム４１４は、入力及び出力装置として二重機能を有する装置を含むことができる。例えば、入力／出力システム４１４は、例えば、スクリーンが指又はスタイラスによって押下される時、イメージを表示する出力装置であり、入力を受け取る一つ以上の接触感知スクリーンを含むことができる。接触感知スクリーンは、熱、静電容量及び／又は圧力に敏感であってもよい。一つ以上の入力／出力装置は、例えば、スタイラスによって発生する電圧又は電流に敏感であってもよい。入力／出力システム４１４は選択的であってもよく、出力システム４０２及び／又は入力装置４０４に加えて又は出力システム４０２及び／又は入力装置４０４に代えて用いることができる。
【００２４】
また、クライアントシステム３１０，３１４，３１６，３１８，３２０及び携帯用無線装置３２２は、通信システム４１２に直接結合可能なウェブサイト４１６又は無線ポータル４１８に結合されてもよい。また、任意のウェブサイト４１６又は無線ポータル４１８は、非一時的記憶媒体及びウェブサイトモジュール（番号無し）を含み、しかもウェブサイトを維持し、ウェブサイトに接続して実行する。
【００２５】
図５は、サーバーシステム３０４のブロック図を図示する。サーバーシステム３０４は、電源５２０、出力システム５３０、入力システム５４０、及び運営体制５５１、通信モジュール５５２、ウェブブラウザモジュール５５３、ウェブサーバーアプリケーション５５４及び自動ＲＦＩＤ印刷及び統合非一時的記憶媒体５５５を格納できるメモリシステム５５０を含むことができる。また、サーバーシステム３０４は、プロセッサシステム５６０、通信インターフェース５７０、通信システム５７５及び入力／出力システム５８０を含むことができる。他の実施例で、サーバーシステム３０４は、追加の部品を含んでもよく、及び／又は上に羅列された全ての部品を含まなくてもよい。
【００２６】
出力システム５３０は、例えば、モニターシステム、携帯用ディスプレイシステム、印刷機システム、スピーカーシステム、サウンドシステムへの連結又はインターフェースシステム、一つ以上の周辺装置へのインターフェースシステム及び／又はコンピュータシステムへの連結及び／又はインターフェースシステム、イントラネット、及び／又はインターネットのうちの任意の一つ、一部、任意の組み合わせ、又は全てを含むことができる。
【００２７】
入力システム５４０は、例えば、キーボードシステム、マウスシステム、トラックボールシステム、トラックパッドシステム、携帯用システム上の一つ以上のボタン、スキャナーシステム、マイクロホンシステム、サウンドシステムへの連結、及び／又はコンピュータシステムへの連結及び／又はインターフェースシステム、イントラネット、及び／又はインターネット（例えば、ＩｒＤＡ、ＵＳＢ）のうちの任意の一つ、一部、任意の組み合わせ、又は全てを含むことができる。
【００２８】
メモリシステム５５０は、例えば、ハードドライブのような長期記憶システム；ランダムアクセスメモリのような短期記憶システム；フロッピードライブ又は取り外し可能ドライブのような取り外し可能記憶システム及び／又はフラッシュメモリのうちの任意の一つ、一部、任意の組み合わせ、又は全てを含むことができる。メモリシステム５５０は、さまざまな異なった形態の情報を保存できる一つ以上の機械読み取り可能媒体を含むことができる。用語「機械読み取り可能媒体」は、機械によって読み取り可能な情報を搬送できる任意の媒体を言及するために使うことができる。機械読み取り可能媒体の一例はコンピ
ュータ読み取り可能媒体であってもよい。メモリシステム５５０は自動ＲＦＩＤ印刷及び統合のための一つ以上の機械命令を保存することができる。運営体制５５１はシステム３００の全ての非一時的記憶媒体及びハードウェアを制御する。通信モジュール５５２は、サーバーシステム３０４が通信網３１２上で通信できるようにする。ウェブブラウザモジュール５５３はインターネットをブラウジングすることを可能にする。ウェブサーバーアプリケーション５５４はウェブページを要請し、それによってインターネットをブラウジングすることを容易にするクライアントシステムに複数のウェブページを提供する。
【００２９】
自動ＲＦＩＤ印刷及び統合非一時的記憶媒体５５５は、複数の異なった自動ＲＦＩＤ印刷及び統合非一時的記憶媒体５５５を使用することができる。第１非一時的記憶媒体は、統合開発環境を提供するので、ビジネス及び技術ユーザ両方のためにデザインされ得るＧＭＣインスパイアデザイナーであり、マーケティング、グラフィックアート、ビジネス、作動及びＩＴ専門家にとって使用することができる。ＧＭＣインスパイアデザイナーは、作業実行に基づいてユーザに適当なツール及び複雑度だけを露出できる直観的なグラフィックユーザインターフェース又はＧＵＩであってもよい。デザイナーは、市場をリードする可変テンプレートデザイン能力、エンタープライズ級データ連結及び変換能力、及び強力な後組成制御を提供することができる。実時間で、ウィジウィグ（ｗｈａｔ  ｙｏｕ  ｓｅｅ  ｉｓ  ｗｈａｔ  ｙｏｕ  ｇｅｔ；ＷＹＳＩＷＹＧ）又はウィジウィグプルーフィング（ＷＹＳＩＷＹＧ  ｐｒｏｏｆｉｎｇ）は、テスティングが生産されるべき画素精密なビューであるという確信を持って、ユーザがテンプレート及びデータロジックの両方の変化効果を迅速で容易に見ることを可能にする。ワークフローウィザード（ｗｏｒｋｆｌｏｗ  ｗｉｚａｒｄ）は、ユーザが共通業務を完了するように助けることができる。デザイナーは、Ａｄｏｂｅ  ＩｎＤｅｓｉｇｎ、Ｑｕａｒｋ、ＰＤＦ、ＲＴＦ、Ｍｉｃｒｏｓｏｆｔ．ＤＯＣＸ及び他のグラフィックファイルフォーマットからページレイアウトをインポートすることを支援する。また、デザイナーは、広範囲のデータ連結及び変換ツールを提供する。フレキシブルユーザーインターフェースが簡単にはマウスで利用可能なツールから強力なスクリプティング言語にまで至る場合、デザイナーアプリケーションは、多くの構造化した及び非構造化したファイルフォーマットに連結可能である。データ出力能力は、ＸＭＬ、区分され、カスタマイズされたフォーマットを含むことによって類似の深度を有する。デザイナーのテスティング及びレビュー能力は、アプリケーションの任意のポイントで可変レコード及びページを通じて相互作用的に動くようにし、データ値をそのソース及び使用まで追跡する能力、及びデータ及びページプルーフィングビューを同時に発生させてテンプレートロジックを検証する能力を含む。また、デザイナーアプリケーションは、１つのセットの強力な後組成賦課ツールを用いて最終生産ピースを生成することができる。デザイナーで生成されるアプリケーションは、全てのデータ及び可変文書テンプレートロジックを含むことができ、ＷＦＤ（ＧＭＣ  Ｗｏｒｋｆｌｏｗ  Ｄｏｃｕｍｅｎｔｓ）又はＸＭＬフォーマットでバージョン制御されたストレージに格納される。さらに、ＧＭＣデザイナーの自己指示的能力は、ユーザが自身のスピードをマーケット、デリバリー及び一貫性目標を達成可能にさせる、再使用可能データ及び文書部品の生産を可能にする。デザイナーは、運営体制間の完壁な相互互換性を持ってＷｉｎｄｏｗｓ及びＭａｃの両方で実行される。開発までにほぼ数週、長くは数ヶ月もかかるが、用いられるテンプレート及びアプリケーションはほぼ数日、時には単に数時間で完了できる。容易な使用及びアジリティは��長すぎる従来の開発時間を短縮するので、ユーザは製品能力及び関連性を遥かに向上させながら、プログラマー又はＩＴリソースに一層少なく依存することができる。
【００３０】
第２非一時的記憶媒体は、デジタル資産及びデザイナーで生成される製品アプリケーションの提示、バージョニング、制御及び分配用統合ハブであるＧＭＣインスパイアコンテンツマネジャーであってもよい。コンテンツマネジャーは、文書修正及びアップデートの正確で接近可能な記録を維持することができ、ユーザが作業フロー及び製品無欠性をより
効率的に管理するように助けることができる。自動変更／バージョン管理、資産メタデータ及びタクソノミー管理、ファイル権限アクセス及び保安、文書レイアウト比較及び協力作業権限及び追跡は、いくつかの特徴にすぎない。コンテンツマネジャーは、単独実行インターフェース（デスクトップ及びブラウザ）の両方を介して、そしてデザイナー及びインタラクティブ内からユーザに資産及びメタデータを見せることができる。ユーザは、製品、イメージ、フォント、部品又はアプリケーションの詳細なバージョンを選択し、このような資産をソリューション内で使用することができる。ユーザがウェブを介してデジタル資産をブラウズして追加できる能力を提供し得るコンテンツマネジャーのブラウザベース拡張があってもよい。コンテンツマネジャーはローカル、イントラネット、及びインターネット環境で作動することができる。これはローカル及び遠隔ユーザの全領域にわたる共同作業を可能にする。また、コンテンツマネジャーは、アクティブディレクトリ／ＬＤＡＰを含む様々な保安管理フレームワークと統合させることができる。
【００３１】
第３非一時的記憶媒体は、システム及び方法のための実行時間出力エンジンであるＧＭＣインスパイアプロダクションサーバーであってもよい。プロダクションサーバーは、サービス又は単独実行可能（又は両方）として実行可能な高性能マルチスレッドアプリケーションであってもよい。プロダクションサーバーはＧＭＣ．ＷＦＤアプリケーションを解釈し、複数のフォーマット（ＰＰＭＬ、ＰＤＦなど）の出力を複数のチャネル（イメール、ウェブ、モバイルなど）に発生させることができる。この能力は、ユーザ将来製品出力要求を配置させる。また、プロダクションサーバーは、ＧＭＣコネクタを経て実時間、相互組成（ｉｎｔｅｒａｃｔｉｖｅ  ｃｏｍｐｏｓｉｔｉｏｎｓ）に対して実行されてもよい。プロダクションサーバーは、ユーザが外部印刷ベンダーに作業を追加に提供及び提出する工程を最適化可能にする複数の印刷準備出力フォーマットのための業界標準出力プロトコルを支援する。大部分の印刷サービスプロバイダ、特に、ＡＤＦ又は自動文書工場ワークフローに集中するプロバイダは、その工程をＡＦＰ又はＰＤＦフォーマットの中心に置くことができる。エンタープライズ級処理量及び容易な拡張が可能なため、プロダクションサーバーはＣＰＵにつき１分にほぼ５０，０００〜１００，０００ページの出力をなすことができる。ＣＵＰによって許可されると（ＣＰＵ“コア”の数にかかわらず）、これは将来成長のためにユーザを配置し、低コスト及び高投資収益率又はＲＯＩで水平及び垂直拡張性を容易にする。
【００３２】
第３非一時的記憶媒体は、ＧＭＣインスパイアオートメーションであってもよい。ＧＭＣオートメーションは、中央集中型、全社的な組成工程自動化のための非常に柔軟で設定可能な非一時的記憶媒体ソリューションであってもよい。オートメーションは、アプリケーションデータストリームを処理し、一つ以上の適当な出力にルーティングできるが、非一時的記憶媒体の高い性能及び処理速度は、作動が最大処理量をなすことを助ける。最新の客体指向デザインに基づくと、オートメーションは、許容しない範囲及び柔軟性のロバストアーキテクチャーフレームワークを提供する。それのバックボーンは既存の非一時的記憶媒体環境に含まれて、ローカル及び遠隔ＧＭＣ及び非ＧＭＣアプリケーションを制御することができる。
【００３３】
第４非一時的記憶媒体は、ＧＭＣインスパイアコネクタであってもよい。ＧＭＣコネクタは、ソリューションのパワーを活用するためにユーザアプリケーション及びサービスを存在させるＳＯＡＰ及びＭＱ−互換メッセージングインターフェースを提供することによってフレームワークの統合能力を拡張する。
【００３４】
第５非一時的記憶媒体は、ＧＭＣインスパイアプロダクションプランナーであってもよい。プロダクションプランナーは、それが受信する命令に基づいて生産システムを計画するために用いられる一連の自動決定であってもよい。ユーザはグラフィックインターフェースを有し、自身の作業機能に基づいて作業生産を分析することができる。
【００３５】
プロセッサシステム５６０は、複数の並列プロセッサ、単一プロセッサ、一つ以上の中央プロセッサを有するプロセッサのシステム及び／又は具体的な作業専用の一つ以上の専門化されたプロセッサのうちの任意の一つ、一部、任意の組み合わせ、又は全てを含むことができる。プロセッサシステム５６０はメモリシステム５５０に保存される機械命令を具現することができる。
【００３６】
代案の実施例で、通信インターフェース５７０はサーバーシステム３０４をネットワーク３１２と接続させる。この実施例で、出力システム５３０は通信を通信インターフェース５７０に送信する。通信システム５７５は、出力システム５３０、入力システム５４０、メモリシステム５５０、プロセッサシステム５６０及び／又は入力／出力システム５８０を互いに通信連結させる。通信システム５７５は、一つ以上の電気ケーブル、光ファイバケーブル、及び／又は空気又は水（例えば、無線通信）を通じて信号を送信するものなどのうちの任意の一つ、一部、任意の組み合わせ、又は全てを含むことができる。空気及び／又は水を通じて信号を送信する一部の例は、赤外線及び／又は電波のような電磁波を送信するシステム及び／又は音波を送信するシステムを含む。
【００３７】
入力／出力システム５８０は、入力及び出力装置として二重機能を有する装置を含むことができる。例えば、入力／出力システム５８０は、例えば、スクリーンが指又はスタイラスによって押下される時、イメージを表示する出力装置であり、入力を受け取る一つ以上の接触感知スクリーンを含むことができる。接触感知スクリーンは熱及び／又は圧力に敏感であってもよい。一つ以上の入力／出力装置は、例えば、スタイラスによって発生する電圧又は電流に敏感であってもよい。入力／出力システム５８０は選択的であってもよく、出力システム５３０及び／又は入力装置５４０に加えて又は出力システム５３０及び／又は入力装置５４０に代えて用いることができる。
【００３８】
提案されたシステムは、モジュール能力のプラットホームを用いて生成、展開及び維持のための統合環境を提供することができる。ＧＭＣインスパイアデザイナー、インスパイアオートメーション、インスパイアコンテンツマネジャー及びインスパイアコネクタのような非一時的記憶媒体を用いて、印刷／エンコーディング工程で効率を最大化するソリューションを提供することができる。ソリューションはＧＭＣ  ＰＳＯ及びＧＰＭプロジェクトのために開発されるワークフローを活用することができる。
【００３９】
図６は、補助システムを有する自動ＲＦＩＤ印刷及び統合のための方法６００を図示する例示図である。方法６００のステップは、命令キャプチャーシステムから作業命令を伝送するステップ６０５、エンタープライズサービスバスを使用するステップ６１０、メインレベル作業を生成するステップ６１５、作業命令ファイルを分割して、各命令ラインのための拡張可能マークアップ言語ＸＭＬファイルを生成するステップ６２０、作業ファイル定義レベル作業を生成するステップ６２５、ワンアップＴＮＯファイルを生成するステップ６３０、同一のワークファイル定義で一つ以上の在庫維持ユニットライン及び命令ライン全般を進行及び反復するステップ６３５、ローカルファイルＰＤＦサーバーに複数のファイルを送信するステップ６４０、エンコーダファイルサーバーにファイルを送信するステップ６４５、伝達するように要求される全ＳＫＵが利用可能か否かをエンコーダが確認するステップ６５０、及び作業状態をアップデートするステップ６５５を含むことができる。
【００４０】
作業命令を送信するステップ６０５は、ハブレベルでデジタル生産作業を開始するステップを含むことができる。命令は、Ａｖｅｒｙ  Ｄｅｎｎｉｓｏｎ  Ｅｎｔｅｒｐｒｉｓｅ  Ｓｅｒｖｉｃｅ  Ｂｕｓ又はＥＳＢから受け取ることができる。命令が可能になるとき、現在の命令キャプチャリングシステム、ＴＲＩＭ、ＶＩＰＳ及びＰｈｏｅｎｉｘはＥ
ＢＳと通信することができる。ＥＢＳはＡｖｅｒｙ  ＤｅｎｎｉｓｏｎのＦＭＡシステムと通信して命令のデータを検証することができる。検証に失敗すると、エラー通知が送信され、全ての処理が中断されてもよい。バックエンドシステムは、訂正を行うことができると、命令を再びリリースすることができる。新しい要件が追加されてＧＬＩＤＳ及びＳＰＯＫＥＳの検索テーブルを維持することができるため、どの生産フローを使用するかが理解できる。ワークフローに追加することによって、バックエンドシステムがＲＦＩＤを扱う他の装置を生成する要求が除去されてもよい。
【００４１】
エンタープライズサービスバスを使用するステップ６１０は、命令が印刷のために承認されて受け入られると、ＥＳＢシステムがＸＭＬデータファイルを、デジタルＲＦＩＤ処理のために表示されるホットホルダーにリリースし得ることを含むことができる。ＸＭＬファイルのコンテンツは、全ての命令データ及びＦＭＡによって追加される任意の新しいフィールドを含むことができる。ファイルのフォーマットは、アイテムのためのテスティングの間にＦＭＡによってリリースされる現在生産レベルファイル構造にマッチすることができる。
【００４２】
メインレベル作業を生成するステップ６１５は、作業を生成し、命令ファイルが作業にコピーされ得ることを含むことができる。自動化システム内の全ての作業は、作業に関する属性を含む。いくつかの属性は命令ファイル内のデータに基づいて設定されてもよい。この情報を用いて、システムで生産工程を後に制御することができる。
【００４３】
作業命令ファイルを分割するステップ及び各命令ラインに対する拡張可能マークアップ言語ＸＭＬファイルを生成するステップ６２０は、全ての命令ファイル又は作業が一度でいくつかのアイテムのための命令を含み得ることを含むことができる。本来の命令は、ビジネス工程によって、本来の命令内部のアイテムに基づいて個別データファイルに分割することができる。例えば、「サイズによるカラー」アイテムは、一つの作業としてのみ処理することができる。これは命令内で各ラインのためのＷＦＤを比較することによって行われる。命令ライン及びＳＫＵは印刷のために結合されてもよいが、ワークフローは再印刷及びエンコーダへのフィードのために本来の命令ライン及びＳＫＵに関する情報を維持しなければならない。
【００４４】
ワークファイル定義レベル作業を生成するステップ６２５は、新しいアイテムのデータファイルに基づくことができる。各ＷＦＤ（同一のＷＦＤがあると、複数の命令ライン、ＳＫＵであってもよい。）のための個別作業が発生してもよい。この作業は上位命令作業から参照情報を含むことができる。生成されたり処理されるアイテムは並列に許容されて、命令のより迅速な処理を順に可能にする。数量カウントを完成する前に、システムは、スクラップのための所定のパーセントを、要求された数量に追加しなければならない。オーバーランは、ＳＫＵレベルで適用される数量範囲によるグローバルパーセントであってもよい。また、ワークファイル定義レベル作業を生成するステップ６２５は、ＩＢＭのメッセージキューを使用するＤ２Ｃｏｍｍとの全ての通信を有することができる。Ｄ２Ｃｏｍｍと通信するためのＪＳＯＮ  ｏｂｊｅｃｔが用いられてもよい。ＲＦＩＤワークフローはＤ２Ｃｏｍｍソリューションへの呼び出しを要求して各ＳＫＵのための個別ＥＰＣコードを要請することができる。情報が復帰するまでワークフロー処理を維持することができる。Ｄ２Ｃｏｍｍへのメッセージは、作業ＩＤ、グローバルＲＢＯコード、プログラム、位置ＩＤ、ＰＯ番号、命令及びラインＩＤ、要請されるデータ、要請される時間及び命令ライン当たりの数量を含むことができる。このモデルとして機械に要求される追加議論は、印刷割り当てを含まない。応答は少なくとも作業番号、実際の一連番号及び応答日、時間応答値、及び可能ならばメッセージＩＤを含むことができる。作業のための全ての命令／ライン情報は、同じＲＢＯ＋プログラム名のためのものであってもよい。Ｄ２Ｃｏｍｍは着信メッセージを読み出し、要求された情報を復帰させることができる。作業のため
の全てのＥＰＣコードは一つのメッセージで復帰してもよい。直列化メッセージの受信はワークフローの持続を触発させることができる。
【００４５】
ワンアップＴＮＯを生成するステップ６３０は、アイテムのための全てのＳＫＵのシングルアップ（ｓｉｎｇｌｅ−ｕｐ）例を生成するステップを含むことができる。例えば、ＳＫＵは、単一チケット（すなわち、サイズ、カラー、コスト）に関する全ての情報であろう。このため、大きいサイズアイテムのためのＳＫＵは中間サイズアイテムのためのＳＫＵと異なるだろう。このシングルアップ例をＴＮＯファイルとして生成することができる。ＴＮＯファイルは、いくつかの利点を有し得る生産又は印刷フォーマットであってもよい。一つの利点は、アイテムの全てのＳＫＵで用いられるイメージが印刷ファイルにのみ一度配置されてもよいということである。これは、データ伝達及びより速い処理のためのより低いコストを意味するＳＰＯＫＥＳに送信される必要があり得る類似のファイルをもたらす。ＴＮＯファイルフォーマットの他の利点は、ＴＮＯがＳＰＯＫＥで任意の印刷ストリームに変化可能であるということである。これは、ワークが最後の瞬間に印刷技術の間で容易に伝達され、災難復旧を迅速で容易にできることを意味する。生成されたＴＮＯファイルに基づく各ＳＫＵのための一つのＰＤＦを生成することができる。全てのＰＤＦファイルが生成されると、ＪＤＦファイルが生成されてもよい。ＪＤＦコンテンツ及びタイミングはレビューされる必要があり、ＥＡを反復しなくてもよい。ＪＤＦは、ファイルを正規化するために全てのステップ及びＥＡのために必要な情報を含み得るテキストファイルであってもよい。
【００４６】
同一のワークファイル定義の一つ以上の在庫維持ユニットライン及び命令ライン全般を進行及び反復するステップ６３５は、各独特の配置のためのマイルストーンＸＭＬマーカー及びＪＤＦファイルを受信した後にＰＤＦが生成され得ることを含むことができる。ＰＤＦは、ローカルＦＴＰサーバーへの後続伝達のためのホルダーに伝達されてもよい。現在処理のように、メタデータは検査され、カラーバーは進行及び反復シートに追加されてもよい。現在出力はＰＤＦスタイルもＪＤＦ命令も含むことができる。命令は、カラー管理のために用いられ、デジタル印刷に要求される番号シートカウントを通過するために用いられてもよい。２個のオプションを考慮中であってもよい。オプションはワンアップファイル及び反復工程のための要件に影響を与えることができる。第一のオプションは、各レベル（すなわち、Ｍａｃｙの命令のためのＣＲＬデータ）で独特性を定義するフィールドを有する各特定ＳＫＵのために生成されるワンアップファイルであってもよい。これはＷＦＤ内で特定特性を定義することを要求することができる。各独特のＳＫＵ  ＰＤＦは正規化され、独特のイメージは進行及び反復工程に配置されてもよい。第二のオプションは、独特のタグ（すなわち、Ｍａｃｙ  ＣＲＬ）を作るフィールドを除いた各ＳＫＵのために生成されるワンアップファイルであってもよい。これは、ＷＦＤ内で特定属性を定義することを要求することができる。進行及び反復工程は実行されてもよく、進行及び反復工程の間に特定独特の変数を適用することができる。第二のオプションは、所望の工程であってもよい。
【００４７】
また、ＰＤＦファイルをローカルファイルサーバーに送信するステップ６４０をＪＭＦ及びＪＤＦファイルに適用することができる。
【００４８】
ファイルをエンコーダファイルサーバーに送信するステップ６４５は、エンコーダのためのファイルを準備するステップを含むことができる。ファイルは、情報を含めて作業、命令ライン、及び各独特のＳＫＵを識別することができる。
【００４９】
輸送するように要求される全てのＳＫＵがこれから利用可能かどうかをエンコーダが確認するステップ６５０は、作業において全てのＳＫＵの完了時に輸送するように要求されるＳＫＵがこれから利用可能かどうかをエンコーダが確認できることを含むことができる
。分析の完了ができると、エンコーダは、状態を示すと共に付加の再印刷が要求されるかを確認するメッセージを返すことができる。
【００５０】
作業状態をアップデートするステップ６５５は、メッセージのコンテンツによって作業の状態をアップデートするステップを含むことができる。全てのＳＫＵが印刷されると、状態を完了と変えることができる。より多くのＳＫＵが要求されると、作業を完了することはできるが、欠落したＳＫＵのための新しい作業が要求されてもよい。新しいリンクが生成されてもよいが、作業が再印刷作業であることを確認する必要がある。プランナーを利用可能なため、印刷期限は本来の期限であってもよい。作業が再印刷として表示され、情報が作業ジャケットに印刷されることは重要である。作業の完了ができると、ワークフローはメインレベル作業を生成するステップ６１５に復帰する。
【００５１】
方法は、デジタルプラットホーム及び電気製品コードエンコーディング又はＥＰＣのための自動ワークフロードライビングＲＦＩＤ印刷準備ファイルを管理する。粒子群最適化又はＰＳＯワークフローは、工程を管理するためのツールを提供する。ＰＳＯワークフローは、命令管理システムと統合して命令細部事項をキャプチャーし、Ｄ２Ｃｏｍｍと統合して要求されたＥＰＣ情報を検索し、エンコーダソリューションと統合してＥＰＣコミッショニング工程を可能にする上で重要な情報を通過させ、再印刷要求を管理することができる。
【００５２】
方法は、熱印刷と共に可能でないオプションを使用するＲＦＩＤタグを提供することを可能にし、コストを低減することができる。デジタル製作のための短縮した時間は、根源決定の柔軟性を可能にすることができる。一連番号を有する高いボリューム印刷及びＲＦＩＤデジタル印刷は、新しいマーケットニーズ及び新しい収益機会を可能にすることができる。
【００５３】
高いレベル要件は、ＧＰＭ定義構造を使用する着信ＲＦＩＤ命令を処理するための旧型コンピュータシステムＴＲＩＭ、ＶＩＰＳ及びＰｈｏｅｎｉｘとの統合、位置及び生産方法によってアイテムを区分し、ＧＰＭ又はＲＦＩＤソリューションを通じて処理される能力、要求されるようにフォーマットマネジャー管理又はＦＭＡと共に命令の検証、命令当たりに複数のライン及び／又はＳＫＵを扱う作業及びサブ作業への着信命令ラインの変換、所定のグローバル数量範囲によって各ＳＫＵラインへのオーバーランパーセントを定義する能力、ｊｓｏｎ  ｏｂｊｅｃｔとしてメッセージブローカーを介してＥＰＣ暗号化情報を要請し受信するためのＤ２Ｃｏｍｍとの通信、可能ならば技術インク除去と共に正規化されたワンアップＰＤＦの準備、同一のワークフロー定義（同一の印刷フォーマット）と共にそして同一の命令（アクロス命令ではない。）内でデジタル印刷結合命令ラインＳＫＵのための進行及び反復ファイルの準備、各レベル（すなわち、ＭａｃｙのＣＲＬ）で独特さと共に進行及び反復ファイルの準備、ヘッダーチケット無しで進行及び反復ファイルの準備、アイテムに割り当てられる標準テンプレート（シートサイズ及びＳＫＵサイズ）を使用する進行及び反復の準備及びテンプレートをＧＬＩＤと関連させる能力を含むことができる。追加の高いレベル要件は、テンプレートに基づく各準備された印刷シートに適用されるカラーバー、エンコーダ及び／又はＤ２Ｃｏｍｍに送信される必要があるフィールドを定義する能力、エンコーディング及び再印刷のための要請の両方を支援する情報（すなわち、作業、命令、ライン、ＳＫＵ情報など）を伝達するためのエンコーダとの通信、再印刷に関する詳細な情報を受信するためのエンコーダとの通信、作業完了に関する状態情報を受信するためのエンコーダとの通信、ＥＰＣ呼び出しからＤ２Ｃｏｍｍ伝達まで印刷ワークフローの再印刷作業及び作動開始を生成する能力、処理されていない作業を識別するためのエラー操作、エンコーダからの要請無しで再印刷作業を生成する能力、Ｓ＆Ｒで再印刷としての作業及び印刷再印刷を表示し、ＰＤＦファイル及びエンコーダの両方のために使用するように生産位置によってファイル伝送プロトコル及びＦＴＰ資格を識
別する能力、生産位置によってＦＴＰ及びエンコーダＦＴＰ情報を保存し、作業ジャケット（複数の命令ラインによって修正されたバージョン）を生成する能力、プラント位置レベルで作業ジャケットのための印刷キューを設定する能力、現在ＧＰＭ方法にないＲＦＩＤ及びＲＦＩＤワークフローに含まれていないＰＳＯハブ処理のために導入される機能を含むことができる。
【００５４】
現在ＲＦＩＤ印刷は熱生産に制限されてもよい。デジタル印刷は、より多くの材料、カラー及び形状を可能にすることができ、ベースロールインベントリに関連するコストを減らすことができる。また、方法は、印刷サイクルを通じて縮小されたデザインを可能にすることができる。システム及び方法は、一貫した品質及び向上したデータ正確度でより速く全般的に印刷することができる。システム及び方法は、印刷を通じてデザインからデジタル印刷工程で複数の機能に影響を与えることができる。
【００５５】
アートワーク準備は、システム及び方法を用いて行うことができる。ＲＦＩＤデザインに伴うＷｅｂＣｅｎｔｅｒ、全てのＣＰＤ、生産アーティスト、及びＧＳＰＤリソースを、システム及び方法で扱うことができる。ワークフロー定義又はＷＦＤとしてもう識別されるため、フォーマット自動リソース、システム及び方法を用いて印刷フォーマットを開発するために扱われる必要がある。印刷準備ファイルがこれから新しいソースに伝達され得るので、事前印刷及び計画手順は変化されてもよい。伝達される印刷ファイルは、現在工程ステップを除去するワンアップ工程の間に自動で摩耗される技術インクを有することができる。スケジューリングはエンコーダソリューション内で新しい再印刷モジュールを用いて、印刷のための追加のＰＤＦシートを要請することができる。ユーザは生産開始前に、テストケース定義及びユーザ受け入れテスト又はＵＡＴの実行に参入することができる。ビジネス工程所有者が、デジタルＲＦＩＤ工程を支援する標準作動手順をアップデート及び／又は生成する責任を負ってもよい。
【００５６】
システム及び方法に関する仮定は、内部アートデザイン、ＧＰＭソリューションのための新しいデザインごとに命令管理インターフェースを含むことができ、ＲＦＩＤ作業はＨＵＢでのみ処理されてもよい。利用可能なＳＰＯＫＥソリューション無しで、命令管理システムはＴＲＩＭ、ＶＩＰＳ及びＰｈｏｅｎｉｘだけを含み、進行及び反復は共通ＷＦＤと共に複数のＳＫＵ及び命令ラインを含むことができる。
【００５７】
ＧＭＣの生産プランナーモジュールが具現されなくてもよいため、システム及び方法に関する制約は、要求されるデジタルＲＦＩＤ作業の手動スケジューリングを含むことができ、初期具現はＧＰＭカラー管理モジュールを含まなくてもよく、任意の追加のシステムからのフィードは、可変データを有するものといずれも推定されるＧＰＭ及びＲＦＩＤアイテムの標準規格当たりインターフェースが生成されることを要求することができ、追加の処理は、任意の他の形態の直列化（すなわち、保安）を有する在庫アイテムのために要求されてもよい。
【００５８】
システムに導入されるオンライン及び／又は配置タイミング要件は、適用可能な場合は、入力データの受信からシステム製品の有効性までの応答時間、質疑及びアップデートに対する応答時間、機能の連鎖関係、作動のモードで入力及び変化の形態によって導入される優先事項及びピークロード期間、又は緊急作動のための明示された応答時間との任意の偏差を含むことができる。
【００５９】
配置及びオンライン入力及び出力は、他のシステムのインターフェース、命令データ、Ｄ２Ｃｏｍｍ暗号化データ及びエンコーダ状態の命令管理システム送信及び再印刷情報を含むことができる。
【００６０】
本発明の他の態様は、データ送信及びインターネット関連活動の周知の方法を含むことができる。本発明のさらに他の態様は無線データ送信などを用いることができる。
【００６１】
前述した記載及び添付の図面は、本発明の原理、一つ以上の実施例及び作動のモードを示している。しかし、本発明を上記に議論された特定の実施例に制限されるものとして解釈してはならない。上記に議論された実施例の追加の変形は当業者にとって理解できるであろう。
【００６２】
したがって、上記に記載された実施例は制限的ではなく例示的なものとして見なされる必要がある。したがって、その実施例の変形は、以下の請求項によって定義されるような本発明の範囲から逸脱することなく当業者にとって明らかになる。
【図１】
2019145144.tif 000003
【図２】
2019145144.tif 000004
【図３】
2019145144.tif 000005
【図４】
2019145144.tif 000006
【図５】
2019145144.tif 000007
【図６】
2019145144.tif 000008
【手続補正書】
【提出日】平成31年4月22日(2019.4.22)
【手続補正１】
【補正対象書類名】特許請求の範囲
【補正対象項目名】全文
【補正方法】変更
【補正の内容】
【特許請求の範囲】
【請求項１】
命令を保存している非一時的コンピュータ記憶媒体であって、前記命令が実行されると、
命令キャプチャーシステムから作業命令を送信するステップと、
エンタープライズサービスバスを用いるステップと、
メインレベル作業を生成するステップと、
作業命令ファイルを分割し、各命令ラインのための拡張可能マークアップ言語（ＸＭＬ）ファイルを作成するステップと、
ワークファイル定義レベル作業を生成するステップと、
ワンアップＴＮＯファイルを生成するステップと、
同一のワークファイル定義で１つ以上の在庫維持ユニットライン及び命令ライン全般を進行及び反復するステップと、
ローカルファイルＰＤＦサーバーに複数のファイルを送信するステップと、
エンコーダファイルに前記ファイルを送信するステップと、
伝達するように要求される全てのＳＫＵが利用可能か否かをエンコーダが確認するステップと、
作業状態をアップデートするステップとを含む方法を実行する、非一時的コンピュータ記憶媒体。
【請求項２】
複数のＲＦＩＤタグを提供する、請求項１に記載の非一時的コンピュータ記憶媒体。
【請求項３】
短縮したデジタル生産時間をもたらす、請求項１に記載の非一時的コンピュータ記憶媒体。
【請求項４】
一定の品質及び向上したデータ正確度で、より速い印刷をもたらす、請求項１に記載の非一時的コンピュータ記憶媒体。
【請求項５】
プロセッサシステム、通信インターフェース、通信システム、入力システム及び出力システムを有するサーバーシステムを提供する、請求項１に記載の非一時的コンピュータ記憶媒体。
【請求項６】
オペレーティングシステム、通信モジュール、ウェブブラウザモジュール、ウェブサーバーアプリケーション及び自動ＲＦＩＤ印刷及び統合非一時的記憶媒体を有するメモリシステムを提供する、請求項１に記載の非一時的コンピュータ記憶媒体。
【請求項７】
サーバーシステムと結合して用いられる自動デジタルＲＦＩＤ印刷機を提供する、請求項１に記載の非一時的コンピュータ記憶媒体。
【請求項８】
前記短縮したデジタル生産時間は、ソーシング決定の柔軟性を可能にする、請求項３に記載の非一時的コンピュータ記憶媒体。
【請求項９】
前記サーバーシステムは、通信ネットワークへのアクセスを有する、請求項５に記載の非一時的コンピュータ記憶媒体。
【請求項１０】
前記通信ネットワークは、インターネットまたは広域ネットワークである、請求項９に記載の非一時的コンピュータ記憶媒体。
【請求項１１】
前記通信ネットワークは、オペレーティングシステムネットワークを有する携帯電話である、請求項９に記載の非一時的コンピュータ記憶媒体。
【請求項１２】
前記短縮したデジタル生産時間は、通し番号を有する大量の印刷をもたらす、請求項８に記載の非一時的コンピュータ記憶媒体。
【外国語明細書】
2019145144000001.pdf